(57)【要約】【課題】仮柱を容易に取り外すことができる建物ユニットを提供すること。【解決手段】複数の柱８と、柱８の上端部どうしを連結する複数の上梁３・４と、柱８の下端部どうしを連結する複数の下梁６・７とを備え、複数の柱８のうち少なくとも一本が上梁３・４及び下梁６・７から取り外し可能な仮柱１０となっている建物ユニットにおいて、仮柱１０は、長さ方向に治具柱１１・１２に分けられており、治具柱１１・１２は、それらの間に所定の大きさのクリアランス１３をもって連結部材２０によって連結されており、連結部材２０は治具柱１１・１２に着脱可能であることを特徴とする建物ユニット１を用いて上記課題を解決した。【選択図】図１
2006132319.tif 000002
【特許請求の範囲】
【請求項１】
複数の柱と、該柱の上端部どうしを連結する複数の上梁と、該柱の下端部どうしを連結する複数の下梁とを備え、複数の前記柱のうち少なくとも一本が前記上梁及び前記下梁から取り外し可能な仮柱となっている建物ユニットにおいて、前記仮柱は、長さ方向に複数の治具柱に分けられており、隣接する前記治具柱は、それらの間に所定の大きさのクリアランスをもって連結部材によって連結されており、この連結部材は前記治具柱に着脱可能であることを特徴とする建物ユニット。
【請求項２】
連結部材は、建物ユニットの内部側に配置されていることを特徴とする請求項１記載の建物ユニット。
【請求項３】
連結部材には、治具柱の側面に面接触する当接面が形成されていることを特徴とする請求項１または２記載の建物ユニット。
【請求項４】
連結部材には、該連結部材の表面から治具柱側に貫通する連結部材側係合孔が一又は複数設けられ、治具柱の前記連結部材側係合孔に対向する部位には、柱側係合孔が一又は複数設けられ、固定部材が前記連結部材側係合孔及び前記柱側係合孔を通って、前記治具柱と前記連結部材とに亙って設けられていることを特徴とする請求項１〜３のいずれか記載の建物ユニット。
【請求項５】
前記複数の治具柱のうち一番下の治具柱の長さが他の治具柱の長さより長いことを特徴とする請求項１〜４のいずれかに記載の建物ユニット。
【発明の詳細な説明】
【技術分野】
【０００１】
本発明は、建物ユニットに関する。
【背景技術】
【０００２】
近年、予め工場で生産された複数の建物ユニットを組み合わせて立てられるユニット建物が、施工期間が短いなどの利点を備えるため広く採用されるようになった。このユニット建物を構成する建物ユニットは、鉄骨を直方体状に組み立てたフレームに、床面材や壁面材を貼り付けたものが一般的である。そして、この建物フレームは、建物の天井部を構成する上梁部と、建物の床部を構成する下梁部と、上梁部と下梁部との間に架設される複数の柱とを備えている。
【０００３】
そして、例えば特許文献１に示すように、複数の柱のうち少なくとも一本の柱を上梁部及び下梁部から取り外し可能な仮柱で構成した建物ユニットを用いて建物を施工する技術が知られている。この技術によれば、複数の建物ユニットをその仮柱を互いに隣接するようにして並設し、ついでこれら仮柱を取り外すことにより、仮柱が存在していた箇所に空間を形成することができる。すなわち、建物の内部に大空間を形成することができる。
【特許文献１】特公平８−１６３５０号公報
【発明の開示】
【発明が解決しようとする課題】
【０００４】
ところで、仮柱は上梁部と下梁部との間に架設されて他の柱と同様に上梁部を支持しているので、仮柱から上梁部及び下梁部に抗力が作用している。したがって、仮柱を取り外すに際して仮柱と上梁部及び下梁部との間に摩擦力が生じるため、この摩擦力に抗して仮柱を動かさなければならず、よって仮柱が取り外し難いという問題があった。本発明の課題は、仮柱を容易に取り外すことができる建物ユニットを提供することである。
【課題を解決するための手段】
【０００５】
以上の課題を解決するため、請求項１記載の発明は、例えば図１及び図２に示すように、複数の柱８と、該柱８の上端部どうしを連結する複数の上梁３・４と、該柱８の下端部どうしを連結する複数の下梁６・７とを備え、複数の前記柱８のうち少なくとも一本が前記上梁３・４及び前記下梁６・７から取り外し可能な仮柱１０となっている建物ユニット１において、前記仮柱１０は、長さ方向に複数の治具柱１１・１２に分けられており、隣接する前記治具柱１１・１２は、それらの間に所定の大きさのクリアランス１３をもって連結部材２０によって連結されており、この連結部材２０は前記治具柱１１・１２に着脱可能であることを特徴とする。
【０００６】
ここで、仮柱１０を上梁３・４及び下梁６・７から取り外し可能とするには、例えば、図４に示すように、仮柱１０の上端部と上梁３・４とをボルト１７で締結する一方で、仮柱１０の下端部と下梁６・７とをボルトで締結すればよい。また、連結部材２０を治具柱１１・１２に着脱可能に設けるには、例えば請求項４のようにすればよい。
【０００７】
請求項１記載の発明によれば、連結部材２０を治具柱１１・１２から取り外すことで、仮柱１０を構成する複数の治具柱１１・１２どうしの間にクリアランス１３が形成されるので、仮柱１０は上梁３・４を支持しなくなる。したがって、仮柱１０から上梁３・４及び下梁６・７に抗力が作用しなくなるので、仮柱１０を上梁３・４及び下梁６・７から取り外すに際して上梁３・４及び下梁６・７と仮柱１０との間に摩擦力が生じなくなる。また、仮柱１０に比して小型・軽量な治具柱１１・１２を取り外せばよいこととなる。よって、仮柱１０を容易に取り外すことができる。また、仮柱１０を構成する治具柱１１・１２は連結部材２０によって連結されているので、仮柱１０は建物ユニットを構成する他の柱８と同様に上梁３・４を支持することができる。
【０００８】
請求項２記載の発明は、例えば図１に示すように、請求項１記載の発明において、連結部材２０は、建物ユニット１の内部側に配置されていることを特徴とする。
請求項２記載の発明によれば、連結部材２０は建物ユニット１の内部側に配置されているので、建物ユニット１を搬送したり取り扱う際に連結部材２０が邪魔にならない。さらには、複数の建物ユニット１を所定の位置に設けた後に連結部材２０を取り外すに際して、他の建物ユニット１が作業の邪魔にならないので、連結部材２０を容易に取り外すことができる。
【０００９】
請求項３記載の発明は、例えば図２及び図３に示すように、請求項１または２記載の発明において、連結部材２０には、治具柱１１・１２の側面１１ａ・１１ｂ・１２ａ・１２ｂに面接触する当接面２０ａ・２０ｂが形成されていることを特徴とする。請求項３記載の発明によれば、連結部材２０の当接面２０ａ・２０ｂを治具柱１１・１２の側面１１ａ・１１ｂ・１２ａ・１２ｂに面接触させて連結部材２０と治具柱１１・１２とを接合することで、連結部材２０と治具柱１１・１２とを強固に接合することができる。
【００１０】
また、治具柱１１・１２どうしを連結部材２０で連結するに際しては、連結部材２０の当接面２０ａ・２０ｂを治具柱１１・１２の側面１１ａ・１１ｂ・１２ａ・１２ｂに面接触させることで、治具柱１１・１２の軸方向と交差する方向の位置決めを容易に行うことができる。
【００１１】
請求項４記載の発明は、例えば図２及び図３に示すように、請求項１〜３のいずれか記載の発明において、連結部材２０には、該連結部材２０の表面から治具柱１１・１２側に貫通する連結部材側係合孔（上側係合孔２１、下側係合孔２２）が一又は複数設けられ、治具柱１１・１２の前記連結部材側係合孔２１・・・２２・・・に対向する部位には、柱側係合孔１４・・・１５・・・が一又は複数設けられ、固定部材（ボルト）２３・・・が前記連結部材側係合孔２１・・・２２・・・及び前記柱側係合孔１４・・・１５・・・を通って、前記治具柱１１・１２と前記連結部材２０とに亙って設けられていることを特徴とする。ここで、固定部材２３としては、例えばボルトがある。
【００１２】
請求項４記載の発明によれば、固定部材２３・・・が治具柱１１・１２と連結部材２０とに亙って設けられているので、連結部材２０を治具柱１１・１２に強固に接合することができ、したがって治具柱１１・１２どうしを強固に連結することができる。また、固定部材２３・・・は連結部材側係合孔２１・・・２２・・・及び柱側係合孔１４・・・１５・・・を通っているので、固定部材２３・・・を容易に取り外すことができ、したがって連結部材２０を容易に取り外すことができる。
【００１３】
請求項５記載の発明は、例えば、図７〜図９に示すように、請求項１〜４のいずれか記載の発明において、前記複数の治具柱１１Ａ・１２Ａのうち一番下の治具柱１２Ａの長さが他の治具柱１１Ａの長さより長いことを特徴とする。
【００１４】
請求項５記載の発明によれば、請求項１〜４のいずれか記載の発明と同様の効果を得ることができるとともに、前記仮柱１０Ａを長さ方向に分ける複数の治具柱１１Ａ・１２Ａのうち、一番下の治具柱１２Ａの長さが他の治具柱１１Ａの長さより長いので、前記他の治具柱１１Ａの長さが短くなり、前記一番下の治具柱１２Ａより上方に位置する他の治具柱１１Ａを外すときの作業が容易となる。
【００１５】
つまり、一番下の治具柱の長さより高い位置に配置された他の治具柱を外す際、例えば、上端部が上梁に接合されている治具柱等を外す場合等には、脚立を用いて外すことになるが、他の治具柱１１Ａの長さが短いので、作業者は担いで脚立を下りることができ、その取り外し作業を効率よく容易に行うことができる。したがって、連結部材２０Ａを外して、治具柱１１Ａ・１２Ａを取り外す際に、一番下の治具柱１２Ａは脚立を用いずに下端部を作業面に当接させて倒す等して容易に外すことができるとともに、他の治具柱１１Ａも容易に取り外すことができ、仮柱の取り外し作業を一層容易に行うことができる。
【発明の効果】
【００１６】
請求項１記載の発明によれば、仮柱を上梁及び下梁から取り外すに際して上梁及び下梁と仮柱との間に摩擦力が生じなくなる他、仮柱に比して小型・軽量な治具柱を取り外せばよいこととなる。したがって、仮柱を容易に取り外すことができる。また、仮柱を構成する治具柱は連結部材によって連結されているので、仮柱は建物ユニットを構成する他の柱と同様に上梁を支持することができる。
【００１７】
請求項２記載の発明によれば、請求項１と同様の効果を得ることができるのは勿論のこと、建物ユニットを搬送したり取り扱う際に連結部材が邪魔にならない。さらには、複数の建物ユニットを所定の位置に設けた後に連結部材を取り外すに際して、他の建物ユニットが作業の邪魔にならないので、連結部材を容易に取り外すことができる。
【００１８】
請求項３記載の発明によれば、請求項１または２と同様の効果を得ることができるのは勿論のこと、連結部材と治具柱とを強固に接合することができる。また、治具柱どうしを連結部材で連結するに際して、治具柱の軸方向と交差する方向の位置決めを容易に行うことができる。
【００１９】
請求項４記載の発明によれば、請求項１〜３のいずれか記載の発明と同様の効果を得ることができるのは勿論のこと、連結部材を治具柱に強固に接合することができ、したがって治具柱どうしを強固に連結することができる。また、固定部材を容易に取り外すことができるので、連結部材を容易に取り外すことができる。
【００２０】
請求項５記載の発明によれば、請求項１〜４のいずれか記載の発明と同様の効果を得ることができるのは勿論のこと、前記他の治具柱の長さが前記一番下の治具柱の長さより短くなり、前記一番下の治具柱の上方に配置された他の治具柱の取り外し作業が容易となる。
【発明を実施するための最良の形態】
【００２１】
〔第１の実施の形態〕
まず、図１〜図４に基づいて本発明に係る建物ユニット１の構成を説明する。建物ユニット１は、建物の天井部を構成する上梁部２と、建物の床部を構成する下梁部５と、上梁部２と下梁部５との間に架設されている３本の柱８及び仮柱１０とを備えている。
【００２２】
上梁部２は、上梁（長辺上梁）３・３と上梁（短辺上梁）４・４とで組み立てられた矩形状の枠に、図示しない複数の天井根太を一方の上梁３から他方の上梁３にわたって互いに平行にかつ等間隔に架設したものである。そして、３本の柱８の上端部と仮柱１０の上端部とを上梁３・３・４・４が連結している。
【００２３】
下梁部５は、下梁（長辺下梁）６・６と下梁（短辺下梁）７・７とで組み立てられた矩形状の枠に、図示しない複数の床根太を一方の下梁６から他方の下梁６にわたって互いに平行にかつ等間隔に架設したものである。そして、３本の柱８の下端部と仮柱１０の下端部とを下梁６・６・７・７が連結している。
【００２４】
仮柱１０は、上梁部２及び下梁部５に取り外し可能に接合されている部材である。仮柱１０は、長さ方向に２つの治具柱１１・１２に分けられており、治具柱１１と治具柱１２とがクリアランス１３をもって連結部材２０により連結されている。なお、クリアランス１３の高さは約１０ｍｍに設定されている。治具柱１１・１２は中空部を有する断面矩形状の長尺部材であり、治具柱１１は上梁部２に接合され、治具柱１２は下梁部５に接合されている。
【００２５】
治具柱１１と上梁部２との接合構造は以下のようになっている。すなわち、図４に示すように、上梁３・４で構成される角部の下端部に当接板９が溶接固定されており、一方、治具柱１１の上端部には当接板１６が溶接固定されている。当接板９には、その上端面から下端面に貫通する係合孔９ａが形成されており、一方、当接板１６の係合孔９ａに対応する部位には、その上端面から下端面に貫通する係合孔１６ａが形成されている。
【００２６】
ここで、係合孔９ａ・１６ａの内壁面には雌ネジが形成されており、また、治具柱１１の上端部にはナット１８やレンチが通される作業用孔が形成されている。そして、当接板９と当接板１６とが当接しており、ボルト１７が当接板９の表面から係合孔９ａ・１６ａを通して治具柱１１の内部までねじ込まれている。また、治具柱１１の作業用孔から挿入されたナット１８がボルト１７に螺合している。なお、治具柱１２と下梁部５との接合構造は、上述した治具柱１１と上梁部２との接合構造と同様である。
【００２７】
治具柱１１の側面のうち、建物ユニット１内部に面する側面１１ａ・１１ｂの下端部には、治具柱１１の内部に貫通する柱側係合孔１４がそれぞれ２つ形成されている。一方、治具柱１２の側面のうち、建物ユニット１内部に面する側面１２ａ・１２ｂの上端部には、内部に貫通する柱側係合孔１５がそれぞれ２つ形成されている。また、柱側係合孔１４・・・１５・・・の内壁面には雌ネジが形成されている。
【００２８】
連結部材２０は、金属板を直角に折り曲げることで形成された断面Ｌ字状の部材であり、建物ユニット１の内部側に配置されている。連結部材２０は、治具柱１１の側面１１ａ及び治具柱１２の側面１２ａに面接触している当接面２０ａと、治具柱１１の側面１１ｂ及び治具柱１２の側面１２ｂに面接触している当接面２０ｂとを備えている。
【００２９】
また、治具柱１１の柱側係合孔１４・・・に対向する部位に上側係合孔（連結部材側係合孔）２１・・・が形成されており、治具柱１２の柱側係合孔１５に対向する部位に下側係合孔（連結部材側係合孔）２２・・・が形成されている。上側係合孔２１・・・及び下側係合孔２２・・・は、連結部材２０の表面から治具柱１１・１２側に貫通しており、上側係合孔２１・・・及び下側係合孔２２・・・の内壁面には雌ネジが形成されている。
【００３０】
そして、ボルト（固定部材）２３・・・が連結部材２０から上側係合孔２１・・・及び柱側係合孔１４・・・を通って治具柱１１の内部までねじ込まれており、連結部材２０から下側係合孔２１・・・及び柱側係合孔１５・・・を通って治具柱１２の内部までねじ込まれている。
【００３１】
次に、建物ユニット１を用いて建物を施工するに際して、建物ユニット１を設置する方法及び建物ユニット１の仮柱１０を取り外す方法について図４〜図６に基づいて説明する。なお、本実施の形態では、建物ユニット１を４つ用いて建物ユニット４つ分の広さを有する大空間を形成する方法について説明する。
【００３２】
まず、４つの建物ユニット１を、仮柱１０が互いに隣接するようにして設置し、隣り合う上梁３・４どうし及び下梁６・７どうしを接合する。そして、各建物ユニット１の仮柱１０を以下の方法により取り外す。すなわち、まずボルト２３を取り外して、連結部材２０を治具柱１１・１２から取り外す。
【００３３】
次いで、治具柱１１と上梁部２とを接合しているボルト１７及びナット１８を取り外すことで治具柱１１を上梁３・４から取り外す一方で、治具柱１２と下梁部５とを接合しているボルト及びナットを取り外すことで治具柱１２を下梁６・７から取り外すことで、仮柱１０を取り外す。このように各建物ユニット１の仮柱１０を取り外すことで、建物ユニット４つ分の大きさを有する大空間が形成される。
【００３４】
従って、本実施の形態に係る建物ユニット１によれば、連結部材２０を治具柱１１・１２から取り外すことで、治具柱１１と治具柱１２との間にクリアランス１３が形成されるので、仮柱１０は上梁を支持しなくなる。したがって、仮柱１０から上梁３・４及び下梁６・７に抗力が作用しなくなるので、仮柱１０を上梁３・４及び下梁６・７から取り外すに際して上梁３・４及び下梁６・７と仮柱１０との間に摩擦力が生じなくなる。また、仮柱１０に比して小型・軽量な治具柱１１・１２を取り外せばよいこととなる。よって、仮柱１０を容易に取り外すことができる。また、治具柱１１・１２は連結部材２０によって連結されているので、仮柱１０は他の３本の柱８と同様に上梁３・４を支持することができる。
【００３５】
ここで、連結部材２０は建物ユニット１の内部側に配置されているので、建物ユニット１を搬送したり取り扱う際に連結部材２０が邪魔にならない。さらに、複数の建物ユニット１を所定の位置に設けた後に連結部材２０を取り外すに際して、他の建物ユニット１が作業の邪魔にならないので、連結部材２０を容易に取り外すことができる。
【００３６】
また、連結部材２０の当接面２０ａ・２０ｂを治具柱１１・１２の側面１１ａ・１１ｂ・１２ａ・１２ｂに面接触させて連結部材２０と治具柱１１・１２とを接合しているので、連結部材２０と治具柱１１・１２とを強固に接合することができる。そして、治具柱１１と治具柱１２とを連結部材２０で連結するに際しては、連結部材２０の当接面２０ａ・２０ｂを治具柱１１・１２の側面１１ａ・１１ｂ・１２ａ・１２ｂに面接触させることで、治具柱１１・１２の軸方向と交差する方向の位置決めを容易に行うことができる。
【００３７】
また、ボルト２３が治具柱１１・１２と連結部材２０とに亙って設けられているので、連結部材２０を治具柱１１・１２に強固に接合することができ、したがって治具柱１１と治具柱１２とを強固に連結することができる。さらに、ボルト２３は連結部材側係合孔（上側係合孔２１・・・、下側係合孔２２・・・）及び柱側係合孔１４・・・１５・・・を通っているので、ボルト２３を容易に取り外すことができ、したがって連結部材２０を容易に取り外すことができる。
【００３８】
〔第２の実施の形態〕
次に、図７〜図１１に基づいて本発明に係る第２の実施の形態の建物ユニット１の構成を説明する。建物ユニット１Ａは、仮柱１０Ａの構成のみ異なり、その他の構成は上記建物ユニット１と程同様であり同様の構成要素については同符号同名称を用いて説明は省略する。すなわち、建物の天井部を構成する上梁部２と、建物の床部を構成する下梁部５と、上梁部２と下梁部５との間に架設されている３本の柱８及び仮柱１０Ａとを備える。
【００３９】
仮柱１０Ａは、上梁部２及び下梁部５に取り外し可能に接合されている部材であり、長さ方向に２つの治具柱１１Ａ・１２Ａに分けられている。これら治具柱１１Ａと治具柱１２Ａとはクリアランス１３Ａをもって連結部材２０Ａにより連結されている。なお、クリアランス１３Ａの高さは約１０ｍｍに設定されている。治具柱１１Ａ・１２Ａは中空部を有する断面矩形状の長尺部材であり、治具柱１１Ａは上梁部２に接合され、治具柱１２Ａは下梁部５に接合されている。ここで治具柱１１Ａ・１１Ｂのうち一番下の治具柱である治具柱１２Ａの長さＬは、上の治具柱１１Ａの長さｌより長くなるように構成されている。例えば、治具柱１１Ａの長さを略９１０ｍｍ、治具柱１２Ａの長さを略１５００ｍｍとする等である。よってこれら治具柱１１Ａ・１２Ａとを連結する連結部材の位置は、仮柱１０Ａ全体で見ると上方に配置された状態となっている。
【００４０】
治具柱１１Ａと上梁部２との接合構造や、治具柱１２と下梁部５との接合構造は上述した治具柱１１と上梁部２との接合構造と同様の構造であるので説明は省略する。
【００４１】
治具柱１１Ａの建物ユニット１Ａ内部に面する側面１１ａ・１１ｂの下端部には、上述した柱側係合孔１４と同様の柱側係合孔１４Ａがそれぞれ２つ形成されている。一方、治具柱１２Ａの建物ユニット１Ａ内部に面する側面１２ａ・１２ｂの上端部には、上述した柱側係合孔１５と同様の柱側係合孔１５Ａがそれぞれ２つ形成されている。これら柱側係合孔１４Ａ…１５Ａ…の内壁面には雌ネジが形成されている。
【００４２】
連結部材２０Ａは、連結部材２０と同様に金属板を直角に折り曲げることで形成され、当接面２０ａ及び当接面２０ｂを備えた断面Ｌ字状の部材であり、建物ユニット１の内部側に配置されている。また、連結部材２０Ａには、前記上側係合孔２１及び下側係合孔２２と同様に構成された上側係合孔２１Ａ及び下側係合孔２２Ａ…が形成されている。そして、ボルト（固定部材）２３…が連結部材２０から上側係合孔２１Ａ…及び柱側係合孔１４Ａ…を通って治具柱１１Ａの内部までねじ込まれており、連結部材２０Ａから下側係合孔２１Ａ…及び柱側係合孔１５Ａ…を通って治具柱１２Ａの内部までねじ込まれている。
【００４３】
また、上側係合孔２１Ａは上下に延在する長穴であるので、治具柱１１Ａ・１２Ａとを接合する際には、まず下側係合孔２２Ａにボルト２３を通して治具柱１２Ａに固定した後、治具柱１１Ａと連結部材２０Ａとを連結する場合、連結されることで形成される仮柱１０Ａの長さを調整することができる。また、連結部材２０Ａを治具柱１１Ａ・１２Ａから外す際に、上側係合孔２１Ａからボルト２３を外すことで、上側係合孔２１Ａの長穴が、治具柱１１Ａ・１２Ａから上梁３・４及び下梁６・７への抗力を吸収するので、下側係合孔２２Ａからボルト２３を容易に外すことができる。
【００４４】
なお、この建物ユニット１Ａを用いて建物を施工する際に、建物ユニットを設置する方法は上述した建物ユニット１と略同様である。ここでは建物を施工する際の仮柱１０Ａを外す方法について説明する。図１１に示すように、仮柱１０Ａを互いに隣接するようにして設置し、隣り合う上梁３・４どうし及び下梁６・７どうしを接合した建物ユニット１Ａの仮柱１０Ａを取り外す際には、仮柱１０Ａの備える複数の治具柱１１Ａ・１２Ａのうち、一番下の治具柱１２Ａの長さが長い分、上述した建物ユニット１の構成よりも容易に取り外すことができる。すなわち、図１１において治具柱１１Ａと上梁部２とを接合しているボルト及びナットを取り外すことで治具柱１１Ａを上梁３・４から取り外す一方で、治具柱１２Ａと下梁部５とを接合しているボルト及びナットを取り外すことで治具柱１２Ａを下梁６・７から取り外すことで、仮柱１０Ａを取り外す。
【００４５】
このとき、上端部が上梁に接合されている治具柱１１Ａを外す際には脚立を用いる。ここで治具柱１１Ａの長さは短くなっているので重量が軽く、上梁から外す作業が容易となり、さらにその後、作業者が担いで脚立を下りることができ、治具柱１１Ａの取り外し作業を効率よく容易に行うことができる。したがって、連結部材２０Ａを外して、治具柱１１Ａ・１２Ａを上梁４や下梁７から取り外す際に、長さのある一番下の治具柱１２Ａについては下端部を作業面に当接させて倒す等して容易に外すことができるとともに、治具柱１２Ａの上方で隣接する他の治具柱１１Ａも容易に取り外すことができ、仮柱の取り外し作業を一層容易に行うことができる。これにより各建物ユニット１Ａの仮柱１０Ａを取り外すことで大空間（図１１では建物ユニット２つ分の大きさを有する空間）を形成できる。
【００４６】
なお、以上の実施の形態においては、建物ユニット１・１Ａに仮柱１０・１０Ａを一本備えたものとしたが、本発明はこれに限定されるものではなく、２本以上備えさせてもよい。また、仮柱１０（１０Ａ）を２つの治具柱１１・１２（１１Ａ・１２Ａ）に分けるものとしたが、本発明はこれに限定されるものではなく、３つ以上の治具柱に分けるものとしてもよい。また、治具柱１１・１２（１１Ａ・１２Ａ）を断面矩形状の柱としたが、他の形状の柱例えば円柱としてもよい。
【図面の簡単な説明】
【００４７】
【図１】本発明を適用した一実施の形態の建物ユニットの構成を示す図である。
【図２】同、仮柱及び連結部材の構成を示す図である。
【図３】同、治具柱と連結部材との接合の態様を示した斜視図である。
【図４】同、治具柱と上梁との接合の態様を示した一部破断部分を含む斜視図である。
【図５】同、建物ユニットを設置する態様を示した平面図である。
【図６】同、建物ユニットから仮柱を取り外す態様を示した斜視図である。
【図７】本発明を適用した第２の実施の形態の建物ユニットの構成を示す図である。
【図８】図７において上梁と下梁とを連結した状態の仮柱を示す図であり、（ａ）は仮柱をユニットの内側から見た図、（ｂ）は（ａ）の平面図である。
【図９】同、仮柱部分を示す分解斜視図である。
【図１０】同、建物ユニットから仮柱を取り外す態様を示した斜視図である。
【図１１】同、建物ユニットから仮柱を取り外す態様を示した斜視図である。
【符号の説明】
【００４８】
１・１Ａ 建物ユニット
３・４ 上梁
６・７ 下梁
８ 柱
１０・１０Ａ 仮柱
１１・１２・１１Ａ・１２Ａ 治具柱
１１ａ・１１ｂ・１２ａ・１２ｂ 治具柱の側面
１３・１３Ａ クリアランス
１４・１５・１４Ａ・１５Ａ 柱側係合孔
２０・２０Ａ 連結部材
２０ａ・２０ｂ 当接面
２１・２１Ａ 上側係合孔（連結部材側係合孔）
２２・２２Ａ 下側係合孔（連結部材側係合孔）
２３ ボルト（固定部材）
【図１】
2006132319.tif 000003
【図２】
2006132319.tif 000004
【図３】
2006132319.tif 000005
【図４】
2006132319.tif 000006
【図５】
2006132319.tif 000007
【図６】
2006132319.tif 000008
【図７】
2006132319.tif 000009
【図８】
2006132319.tif 000010
【図９】
2006132319.tif 000011
【図１０】
2006132319.tif 000012
【図１１】
2006132319.tif 000013
【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
複数の柱と、該柱の上端部どうしを連結する複数の上梁と、該柱の下端部どうしを連結する複数の下梁とを備え、
複数の前記柱のうち少なくとも一本が前記上梁及び前記下梁から取り外し可能な仮柱となっている建物ユニットにおいて、
前記仮柱は、長さ方向に複数の治具柱に分けられており、隣接する前記治具柱は、それらの間に所定の大きさのクリアランスをもって連結部材によって連結されており、この連結部材は前記治具柱の側面に面接触する当接面が形成されている断面Ｌ字状状の部材であり、前記治具柱の、建物ユニットの内部側の側面に着脱可能であることを特徴とする建物ユニット。
【請求項２】
連結部材には、該連結部材の表面から治具柱側に貫通する連結部材側係合孔が一又は複数設けられ、治具柱の前記連結部材側係合孔に対向する部位には、柱側係合孔が一又は複数設けられ、固定部材が前記連結部材側係合孔及び前記柱側係合孔を通って、前記治具柱と前記連結部材とに亙って設けられていることを特徴とする請求項１記載の建物ユニット。
【請求項３】
複数の柱と、該柱の上端部どうしを連結する複数の上梁と、該柱の下端部どうしを連結する複数の下梁とを備え、
複数の前記柱のうち少なくとも一本が前記上梁及び前記下梁から取り外し可能な仮柱となっている建物ユニットにおいて、前記仮柱は、長さ方向に複数の治具柱に分けられており、前記複数の治具柱のうち一番下の治具柱の長さが他の治具柱の長さより長くなっており、隣接する前記治具柱は、それらの間に所定の大きさのクリアランスをもって連結部材によって連結されており、この連結部材は前記治具柱に着脱可能であることを特徴とする建物ユニット。
【手続補正２】
【補正対象書類名】明細書
【補正対象項目名】０００５
【補正方法】変更
【補正の内容】
【０００５】
以上の課題を解決するため、請求項１記載の発明は、例えば図１及び図２に示すように、複数の柱８と、該柱８の上端部どうしを連結する複数の上梁３・４と、該柱８の下端部どうしを連結する複数の下梁６・７とを備え、複数の前記柱８のうち少なくとも一本が前記上梁３・４及び前記下梁６・７から取り外し可能な仮柱１０となっている建物ユニット１において、前記仮柱１０は、長さ方向に複数の治具柱１１・１２に分けられており、隣接する前記治具柱１１・１２は、それらの間に所定の大きさのクリアランス１３をもって連結部材２０によって連結されており、この連結部材２０は前記治具柱１１・１２の側面に面接触する当接面が形成されている断面Ｌ字状状の部材であり、前記治具柱１１・１２の、建物ユニット１の内部側の側面に着脱可能であることを特徴とする。
【手続補正３】
【補正対象書類名】明細書
【補正対象項目名】０００６
【補正方法】変更
【補正の内容】
【０００６】
ここで、仮柱１０を上梁３・４及び下梁６・７から取り外し可能とするには、例えば、図４に示すように、仮柱１０の上端部と上梁３・４とをボルト１７で締結する一方で、仮柱１０の下端部と下梁６・７とをボルトで締結すればよい。また、連結部材２０を治具柱１１・１２に着脱可能に設けるには、例えば請求項２のようにすればよい。
【手続補正４】
【補正対象書類名】明細書
【補正対象項目名】０００８
【補正方法】変更
【補正の内容】
【０００８】
また、連結部材２０は建物ユニット１の内部側に配置されているので、建物ユニット１を搬送したり取り扱う際に連結部材２０が邪魔にならない。さらには、複数の建物ユニット１を所定の位置に設けた後に連結部材２０を取り外すに際して、他の建物ユニット１が作業の邪魔にならないので、連結部材２０を容易に取り外すことができる。
【手続補正５】
【補正対象書類名】明細書
【補正対象項目名】０００９
【補正方法】変更
【補正の内容】
【０００９】
また、連結部材２０の当接面２０ａ・２０ｂを治具柱１１・１２の側面１１ａ・１１ｂ・１２ａ・１２ｂに面接触させて連結部材２０と治具柱１１・１２とを接合することで、連結部材２０と治具柱１１・１２とを強固に接合することができる。
【手続補正６】
【補正対象書類名】明細書
【補正対象項目名】００１１
【補正方法】変更
【補正の内容】
【００１１】
請求項２記載の発明は、例えば図２及び図３に示すように、請求項１に記載の発明において、連結部材２０には、該連結部材２０の表面から治具柱１１・１２側に貫通する連結部材側係合孔（上側係合孔２１、下側係合孔２２）が一又は複数設けられ、治具柱１１・１２の前記連結部材側係合孔２１・・・２２・・・に対向する部位には、柱側係合孔１４・・・１５・・・が一又は複数設けられ、固定部材（ボルト）２３・・・が前記連結部材側係合孔２１・・・２２・・・及び前記柱側係合孔１４・・・１５・・・を通って、前記治具柱１１・１２と前記連結部材２０とに亙って設けられていることを特徴とする。ここで、固定部材２３としては、例えばボルトがある。
【手続補正７】
【補正対象書類名】明細書
【補正対象項目名】００１２
【補正方法】変更
【補正の内容】
【００１２】
請求項２記載の発明によれば、固定部材２３・・・が治具柱１１・１２と連結部材２０とに亙って設けられているので、連結部材２０を治具柱１１・１２に強固に接合することができ、したがって治具柱１１・１２どうしを強固に連結することができる。また、固定部材２３・・・は連結部材側係合孔２１・・・２２・・・及び柱側係合孔１４・・・１５・・・を通っているので、固定部材２３・・・を容易に取り外すことができ、したがって連結部材２０を容易に取り外すことができる。
【手続補正８】
【補正対象書類名】明細書
【補正対象項目名】００１３
【補正方法】変更
【補正の内容】
【００１３】
請求項３記載の発明は、例えば、図７〜図９に示すように、複数の柱８と、該柱８の上端部どうしを連結する複数の上梁３・４と、該柱８の下端部どうしを連結する複数の下梁６・７とを備え、複数の前記柱８のうち少なくとも一本が前記上梁３・４及び前記下梁６・７から取り外し可能な仮柱１０となっている建物ユニット１において、前記仮柱１０は、長さ方向に複数の治具柱１１Ａ・１２Ａに分けられており、前記複数の治具柱１１Ａ・１２Ａのうち一番下の治具柱１２Ａの長さが他の治具柱１１Ａの長さより長くなっており、隣接する前記治具柱１１Ａ・１２Ａは、それらの間に所定の大きさのクリアランス１３Ａをもって連結部材２０Ａによって連結されており、この連結部材２０Ａは前記治具柱８に着脱可能であることを特徴とする。
【手続補正９】
【補正対象書類名】明細書
【補正対象項目名】００１４
【補正方法】変更
【補正の内容】
【００１４】
請求項３記載の発明によれば、前記仮柱１０Ａを長さ方向に分ける複数の治具柱１１Ａ・１２Ａのうち、一番下の治具柱１２Ａの長さが他の治具柱１１Ａの長さより長いので、前記他の治具柱１１Ａの長さが短くなり、前記一番下の治具柱１２Ａより上方に位置する他の治具柱１１Ａを外すときの作業が容易となる。
【手続補正１０】
【補正対象書類名】明細書
【補正対象項目名】００１７
【補正方法】変更
【補正の内容】
【００１７】
また、建物ユニットを搬送したり取り扱う際に連結部材が邪魔にならない。さらには、複数の建物ユニットを所定の位置に設けた後に連結部材を取り外すに際して、他の建物ユニットが作業の邪魔にならないので、連結部材を容易に取り外すことができる。
【手続補正１１】
【補正対象書類名】明細書
【補正対象項目名】００１８
【補正方法】変更
【補正の内容】
【００１８】
また、連結部材と治具柱とを強固に接合することができる。また、治具柱どうしを連結部材で連結するに際して、治具柱の軸方向と交差する方向の位置決めを容易に行うことができる。
【手続補正１２】
【補正対象書類名】明細書
【補正対象項目名】００１９
【補正方法】変更
【補正の内容】
【００１９】
請求項２記載の発明によれば、請求項１に記載の発明と同様の効果を得ることができるのは勿論のこと、連結部材を治具柱に強固に接合することができ、したがって治具柱どうしを強固に連結することができる。また、固定部材を容易に取り外すことができるので、連結部材を容易に取り外すことができる。
【手続補正１３】
【補正対象書類名】明細書
【補正対象項目名】００２０
【補正方法】変更
【補正の内容】
【００２０】
請求項３記載の発明によれば、前記他の治具柱の長さが前記一番下の治具柱の長さより短くなり、前記一番下の治具柱の上方に配置された他の治具柱の取り外し作業が容易となる。